(57)【要約】【課題】画像データの保存及び印刷を要求する指令が受け付けられた場合において、画像形成処理が開始されるまでの待ち時間を短縮することが可能な画像形成装置及び画像形成方法を提供すること。【解決手段】画像データＤ１の保存及び印刷を要求する指令が受け付けられた場合に、第１処理部１６３は、入力される画像データＤ１をＲＡＭ１６１に記憶する。印刷制御部１６４は、画像データＤ１をＲＡＭ１６１から読み出して、画像形成部１３に当該画像データＤ１に基づく画像形成処理を実行させる。第２処理部１６５は、印刷制御部１６４によるＲＡＭ１６１からの画像データＤ１の読み出しが開始されるのと同時又はその後に、補助記憶部１５への画像データＤ１の保存を開始する。【選択図】図２
2018056887.tif 000002
【特許請求の範囲】
【請求項１】
メモリーと、
補助記憶部と、
画像データに基づいて画像形成処理を実行する画像形成部と、
前記画像データを入力する画像入力部と、
前記画像データの保存及び印刷を要求する特定指令を受け付ける指令受付部と、
前記指令受付部により前記特定指令が受け付けられた場合に、前記画像入力部により入力される前記画像データを前記メモリーに記憶する第１処理部と、
前記第１処理部により前記メモリーに記憶された前記画像データを前記メモリーから読み出して、前記画像形成部に当該画像データに基づく画像形成処理を実行させる印刷制御部と、
前記印刷制御部による前記メモリーからの前記画像データの読み出しが開始されるのと同時又はその後に、前記補助記憶部への前記画像データの保存を開始する第２処理部と、
を備える画像形成装置。
【請求項２】
前記第２処理部は、前記画像データに基づいて前記画像形成部において複数ページ分の画像形成処理が実行される場合に、前記画像データにおける前記複数ページのうちの少なくとも最初のページに対応するデータが前記印刷制御部により前記メモリーから読み出された後に、前記補助記憶部への前記画像データの保存を開始する、
請求項１に記載の画像形成装置。
【請求項３】
前記特定指令が前記画像データを保存するとともに複数部数分印刷することを要求する指令である場合に、前記印刷制御部は、前記第１処理部により前記メモリーに記憶された前記画像データを前記部数分だけ繰り返し読み出して、前記画像形成部に当該画像データに基づく画像形成処理を前記部数分だけ繰り返し実行させる、
請求項１又は請求項２に記載の画像形成装置。
【請求項４】
前記第２処理部は、前記補助記憶部の空き容量が前記画像データを保存するのに不十分である場合に、前記画像形成部による当該画像データに基づく画像形成処理を中断させることなく、予め定められたエラー処理を実行する、
請求項１〜３のいずれかに記載の画像形成装置。
【請求項５】
前記印刷制御部は、予め定められた特定操作に応じて、前記第２処理部により前記補助記憶部に保存された前記画像データに基づいて前記画像形成部に画像形成処理を再実行させる、
請求項１〜４のいずれかに記載の画像形成装置。
【請求項６】
メモリー、補助記憶部、画像データに基づいて画像形成処理を実行する画像形成部、及び前記画像データを入力する画像入力部を備える画像形成装置における画像形成方法であって、
前記画像データの保存及び印刷を要求する特定指令を受け付ける指令受付ステップと、
前記指令受付ステップで前記特定指令が受け付けられた場合に、前記画像入力部により入力される前記画像データを前記メモリーに記憶する第１処理ステップと、
前記第１処理ステップで前記メモリーに記憶された前記画像データを前記メモリーから読み出して、前記画像形成部に当該画像データに基づく画像形成処理を実行させる印刷制御ステップと、
前記印刷制御ステップで前記メモリーからの前記画像データの読み出しが開始されるのと同時又はその後に、前記補助記憶部への前記画像データの保存を開始する第２処理ステップと、
を含む画像形成方法。
【発明の詳細な説明】
【技術分野】
【０００１】
本発明は、画像形成装置及び画像形成方法に関する。
【背景技術】
【０００２】
スキャナー部によって読み取られた原稿の画像データ、又はパーソナルコンピューターなどからネットワークを介して送られてくる原稿の画像データに基づいて画像形成処理が行われる際に、当該画像データがハードディスクのような補助記憶装置に保存される画像形成装置が知られている（例えば、特許文献１参照）。
【０００３】
上記画像形成装置では、画像形成処理に用いられた画像データが前記補助記憶装置に保存されるので、その後に再度同じ画像データに基づいて画像形成処理を実行する場合には、前記補助記憶装置から当該画像データを読み出して画像形成処理を実行することができる。
【先行技術文献】
【特許文献】
【０００４】
【特許文献１】特開２００２−４４３２９号公報
【発明の概要】
【発明が解決しようとする課題】
【０００５】
しかしながら、前記画像形成装置では、前記画像データに基づく初回の画像形成処理時には、当該画像データが前記補助記憶装置に一旦保存された後で、当該画像データが前記補助記憶装置からメモリー（主記憶装置）に展開されて、当該画像データに基づいて画像形成処理が実行される。よって、画像形成処理が開始されるまでの待ち時間が長くなる。
【０００６】
本発明の目的は、画像データの保存及び印刷を要求する指令が受け付けられた場合において、画像形成処理が開始されるまでの待ち時間を短縮することが可能な画像形成装置及び画像形成方法を提供することにある。
【課題を解決するための手段】
【０００７】
本発明の一の局面に係る画像形成装置は、メモリーと、補助記憶部と、画像形成部と、画像入力部と、指令受付部と、第１処理部と、印刷制御部と、第２処理部と、を備える。前記画像形成部は、画像データに基づいて画像形成処理を実行する。前記画像入力部は、前記画像データを入力する。前記指令受付部は、前記画像データの保存及び印刷を要求する特定指令を受け付ける。前記第１処理部は、前記指令受付部により前記特定指令が受け付けられた場合に、前記画像入力部により入力される前記画像データを前記メモリーに記憶する。前記印刷制御部は、前記第１処理部により前記メモリーに記憶された前記画像データを前記メモリーから読み出して、前記画像形成部に当該画像データに基づく画像形成処理を実行させる。前記第２処理部は、前記印刷制御部による前記メモリーからの前記画像データの読み出しが開始されるのと同時又はその後に、前記補助記憶部への前記画像データの保存を開始する。
【０００８】
本発明の他の局面に係る画像形成方法は、メモリー、補助記憶部、画像データに基づいて画像形成処理を実行する画像形成部、及び前記画像データを入力する画像入力部を備える画像形成装置における画像形成方法である。前記画像形成方法は、指令受付ステップと、第１処理ステップと、印刷制御ステップと、第２処理ステップと、を含む。前記指令受付ステップでは、前記画像データの保存及び印刷を要求する特定指令が受け付けられる。前記第１処理ステップでは、前記指令受付ステップで前記特定指令が受け付けられた場合に、前記画像入力部により入力される前記画像データが前記メモリーに記憶される。前記印刷制御ステップでは、前記第１処理ステップで前記メモリーに記憶された前記画像データが前記メモリーから読み出されて、前記画像形成部により当該画像データに基づく画像形成処理が実行される。前記第２処理ステップでは、前記印刷制御ステップで前記メモリーからの前記画像データの読み出しが開始されるのと同時又はその後に、前記補助記憶部への前記画像データの保存が開始される。
【発明の効果】
【０００９】
本発明によれば、画像データの保存及び印刷を要求する指令が受け付けられた場合において、画像形成処理が開始されるまでの待ち時間を短縮することが可能な画像形成装置及び画像形成方法が提供される。
【図面の簡単な説明】
【００１０】
【図１】図１は、本発明の実施形態に係る画像形成装置のシステム構成を示すブロック図である。
【図２】図２は、本発明の実施形態に係る画像形成装置で実行される制御処理の手順の一例を示すフローチャートである。
【図３】図３は、本発明の実施形態に係る画像形成装置において画像形成処理が実行されるときの画像データの流れを示す図である。
【図４】図４は、本発明の実施形態に係る画像形成装置において補助記憶部に保存されるときの画像データの流れを示す図である。
【発明を実施するための形態】
【００１１】
以下添付図面を参照しながら、本発明の実施形態について説明し、本発明の理解に供する。なお、以下の実施形態は、本発明を具体化した一例であって、本発明の技術的範囲を限定するものではない。
【００１２】
図１に示されるように、本発明の実施形態に係る画像形成装置１は、操作表示部１０、ＡＤＦ（Auto Document Feeder）１１、画像読取部１２（本発明の「画像入力部」の一例）、画像形成部１３、通信Ｉ／Ｆ１４（本発明の「画像入力部」の一例）、補助記憶部１５、及び制御部１６などを備える。具体的に、画像形成装置１は、プリンター機能、スキャナー機能、コピー機能、及びファクシミリ機能などを有する複合機である。なお、本発明は、複合機に限らず、コピー機、プリンター、ファクシミリ装置のような任意の画像形成装置に適用可能である。
【００１３】
操作表示部１０は、情報を表示する液晶ディスプレーなどの表示部と、ユーザー操作を受け付けるタッチパネル及び操作ボタンなどの操作部とを備える。
【００１４】
ＡＤＦ１１は、原稿セット部、搬送ローラー、原稿押さえ、及び排紙部を備え、画像読取部１２の読み取り対象となる原稿を搬送する自動原稿搬送装置である。
【００１５】
画像読取部１２は、原稿台、光源、ミラー、光学レンズ、及びＣＣＤ（Charge Coupled Device）を備え、原稿の画像を読み取って画像データＤ１として出力することが可能である。
【００１６】
画像形成部１３は、電子写真方式又はインクジェット方式で画像データＤ１に基づいてシート上に画像を形成する画像形成処理を実行することが可能である。例えば、画像形成部１３が電子写真方式の画像形成部である場合、画像形成部１３は感光体ドラム、帯電器、露光装置、現像装置、転写装置、及び定着装置などを備える。
【００１７】
通信Ｉ／Ｆ１４は、電話回線、インターネット、又はＬＡＮなどの通信網を介して、外部のファクシミリ装置、又はパーソナルコンピューターなどのホストコンピューター２（図３参照）との間で所定の通信プロトコルに従った通信処理を実行することが可能な通信インターフェイスである。
【００１８】
補助記憶部１５は、ハードディスク又はＥＥＰＲＯＭ（登録商標）などの不揮発性の記憶部である。補助記憶部１５には、制御部１６によって実行される各種の制御プログラム、及び画像データＤ１などが記憶される。なお、補助記憶部１５は、画像形成装置１に対して着脱可能であってもよい。
【００１９】
制御部１６は、ＣＰＵ、ＲＯＭ、及びＲＡＭ１６１（図３参照）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。ＲＡＭ１６１は、前記ＣＰＵが実行する各種の処理の一時記憶メモリー（作業領域）として使用される揮発性又は不揮発性の記憶部である。ＲＡＭ１６１は、本発明の「メモリー」の一例である。ＲＡＭ１６１は、補助記憶部１５よりも高速にデータを読み書きすることが可能である。なお、ＲＡＭ１６１は、補助記憶部１５よりも記憶容量が小さく、不揮発性であるのが一般的である。よって、画像データＤ１を一時的又は長期的に保存する必要がある場合には、ＲＡＭ１６１ではなく補助記憶部１５に保存されるのが一般的である。
【００２０】
具体的に、制御部１６は、指令受付部１６２、第１処理部１６３、印刷制御部１６４、及び第２処理部１６５を含む。なお、制御部１６は、前記制御プログラムに従って各種の処理を実行することによりこれらの各処理部として機能する。また、制御部１６は、これらの各処理部の一部又は複数の処理機能を実現する電子回路を備えるものであってもよい。
【００２１】
ところで、スキャナー部によって読み取られた原稿の画像データ、又はパーソナルコンピューターなどからネットワークを介して送られてくる原稿の画像データに基づいて画像形成処理が行われる際に、当該画像データがハードディスクのような補助記憶装置に保存される画像形成装置が知られている。当該画像形成装置では、画像形成処理に用いられた画像データが前記補助記憶装置に保存されるので、その後に再度同じ画像データに基づいて画像形成処理を実行する場合には、前記補助記憶装置から当該画像データを読み出して画像形成処理を実行することができる。しかしながら、当該画像形成装置では、前記画像データに基づく初回の画像形成処理時には、当該画像データが前記補助記憶装置に一旦保存された後で、当該画像データが前記補助記憶装置からメモリー（主記憶装置）に展開されて、当該画像データに基づいて画像形成処理が実行される。よって、画像形成処理が開始されるまでの待ち時間が長くなる。これに対して、本実施形態に係る画像形成装置１では、以下で説明する構成及び動作により、画像データＤ１の保存及び印刷を要求する指令が受け付けられた場合において、画像形成処理が開始されるまでの待ち時間を短縮することが可能である。
【００２２】
指令受付部１６２は、画像データＤ１（図３参照）の保存及び印刷を要求する指令（以下、「特定指令」と称する）を受け付ける。前記特定指令は、例えば、ホストコンピューター２から通信Ｉ／Ｆ１４を通じて入力されてもよいし、操作表示部１０を通じて入力されてもよい。
【００２３】
なお、保存及び印刷の対象となる画像データＤ１は、例えば通信Ｉ／Ｆ１４を通じて画像形成装置１に入力されてもよい。この場合、通信Ｉ／Ｆ１４が本発明の「画像入力部」に相当する。もしくは、画像データＤ１は、画像読取部１２で原稿の画像を読み取ることによって入力されてもよい。この場合、画像読取部１２が本発明の「画像入力部」に相当する。
【００２４】
なお、以下の説明では、前記特定指令及び画像データＤ１がホストコンピューター２から通信Ｉ／Ｆ１４を通じて入力される場合について説明する。
【００２５】
第１処理部１６３は、指令受付部１６２により前記特定指令が受け付けられた場合に、通信Ｉ／Ｆ１４を通じて入力される画像データＤ１をＲＡＭ１６１に記憶する（図３参照）。なお、画像データＤ１は、１ページ分の画像に対応する画像データであってもよいし、複数ページ分の画像に対応する画像データであってもよい。画像データＤ１が複数ページ分の画像に対応するデータである場合には、第１処理部１６３は、当該複数ページ分の画像に対応する画像データＤ１全体をＲＡＭ１６１に記憶する。なお、ＲＡＭ１６１の空き容量が不足している場合には、第１処理部１６３は、例えば、画像データＤ１における最初の１ページ分又は数ページ分のデータをＲＡＭ１６１に記憶するとともに、画像データＤ１における残りのページ分のデータを補助記憶部１５に記憶してもよい。
【００２６】
印刷制御部１６４は、第１処理部１６３によりＲＡＭ１６１に記憶された画像データＤ１をＲＡＭ１６１から読み出して、画像形成部１３に当該画像データＤ１に基づく画像形成処理を実行させる（図３参照）。なお、前記特定指令が、画像データＤ１を保存するとともに複数部数分印刷することを要求する指令である場合には、印刷制御部１６４は、第１処理部１６３によりＲＡＭ１６１に記憶された画像データＤ１を前記部数分だけ繰り返し読み出して、画像形成部１３に当該画像データＤ１に基づく画像形成処理を前記部数分だけ繰り返し実行させる。
【００２７】
印刷制御部１６４は、予め定められた特定操作（例えば、操作表示部１０に対する所定操作）に応じて、第２処理部１６５により補助記憶部１５に保存された画像データＤ１に基づいて、画像形成部１３に画像形成処理を再実行させることも可能である。これにより、ホストコンピューター２から画像形成装置１に画像データＤ１を再送信することなしに、印刷制御部１６４は、画像データＤ１に基づく画像形成処理を簡単に且つ素早く画像形成部１３に再実行させることができる。
【００２８】
第２処理部１６５は、印刷制御部１６４によるＲＡＭ１６１からの画像データＤ１の読み出しが開始されるのと同時又はその後に、補助記憶部１５への画像データＤ１の保存を開始する（図４参照）。なお、画像データＤ１に基づいて画像形成部１３において複数ページ分の画像形成処理が実行される場合には、第２処理部１６５は、例えば、画像データＤ１における前記複数ページのうちの少なくとも最初のページに対応するデータが印刷制御部１６４によりＲＡＭ１６１から読み出された後に、補助記憶部１５への画像データＤ１の保存を開始する。
【００２９】
なお、補助記憶部１５の空き容量が画像データＤ１を保存するのに不十分である場合には、第２処理部１６５は、画像形成部１３による当該画像データＤ１に基づく画像形成処理を中断させることなく、予め定められたエラー処理を実行してもよい。例えば、第２処理部１６５は、前記エラー処理として、「補助記憶部の空き容量が足りないため、画像データは保存されませんでした。」というメッセージを操作表示部１０に表示してもよい。
【００３０】
次に、図２を参照しつつ、本発明の画像形成方法の一例として、制御部１６によって実行される制御処理の手順の一例について説明する。ここで、ステップＳ１１，Ｓ１２，・・・は、制御部１６により実行される処理手順（ステップ）の番号を表している。なお、前記制御処理は、例えば、画像形成装置１の電源がオンされたことに応じて開始され、その後、画像形成装置１の電源がオフされたことに応じて終了される。
【００３１】
＜ステップＳ１１＞
まず、ステップＳ１１（本発明の「指令受付ステップ」の一例）において、制御部１６（指令受付部１６２）は、前記特定指令、すなわち画像データＤ１の保存及び印刷を要求する指令が入力されたか否かを判断する。そして、前記特定指令が入力されたと判断されると（Ｓ１１：Ｙｅｓ）、処理がステップＳ１２に移行する。一方、前記特定指令が入力されていないと判断されると（Ｓ１１：Ｎｏ）、処理がステップＳ１８に移行する。
【００３２】
＜ステップＳ１２＞
ステップＳ１２（本発明の「第１処理ステップ」の一例）において、制御部１６（第１処理部１６３）は、通信Ｉ／Ｆ１４を通じて入力される画像データＤ１をＲＡＭ１６１に記憶する（図３参照）。
【００３３】
＜ステップＳ１３＞
ステップＳ１３（本発明の「印刷制御ステップ」の一例）において、制御部１６（印刷制御部１６４）は、前記ステップＳ１２でＲＡＭ１６１に記憶された画像データＤ１をＲＡＭ１６１から読み出して、画像形成部１３に当該画像データＤ１に基づく画像形成処理を実行させる（図３参照）。
【００３４】
＜ステップＳ１４＞
ステップＳ１４において、制御部１６（第２処理部１６５）は、画像データＤ１における最初のページに対応するデータが印刷制御部１６４によりＲＡＭ１６１から読み出されたか否かを判断する。そして、前記最初のページに対応するデータが読み出されたと判断されると（Ｓ１４：Ｙｅｓ）、処理がステップＳ１５に移行する。一方、前記最初のページに対応するデータがまだ読み出されていないと判断されると（Ｓ１４：Ｎｏ）、当該最初のページに対応するデータが読み出されたと判断されるまで、ステップＳ１４の処理が繰り返される。
【００３５】
＜ステップＳ１５＞
ステップＳ１５において、制御部１６（第２処理部１６５）は、補助記憶部１５の空き容量が画像データＤ１を保存するのに十分であるか否かを判断する。そして、補助記憶部１５の空き容量が十分であると判断されると（Ｓ１５：Ｙｅｓ）、処理がステップＳ１６に移行する。一方、補助記憶部１５の空き容量が不十分であると判断されると（Ｓ１５：Ｎｏ）、処理がステップＳ１７に移行する。
【００３６】
＜ステップＳ１６＞
ステップＳ１６（本発明の「第２処理ステップ」の一例）において、制御部１６（第２処理部１６５）は、補助記憶部１５への画像データＤ１の保存を開始する（図４参照）。そして、処理がステップＳ１８に移行する。
【００３７】
＜ステップＳ１７＞
ステップＳ１７において、制御部１６（第２処理部１６５）は、予め定められたエラー処理を実行する。例えば、制御部１６は、「補助記憶部の空き容量が足りないため、画像データは保存されませんでした。」というメッセージを操作表示部１０に表示する。そして、処理がステップＳ１８に移行する。
【００３８】
＜ステップＳ１８＞
ステップＳ１８において、制御部１６（印刷制御部１６４）は、再印刷を要求する指令（以下、「再印刷指令」と称する）が入力されたか否かを判断する。例えば、制御部１６は、操作表示部１０に対する所定操作が行われたときに、前記再印刷指令が入力されたと判断する。そして、前記再印刷指令が入力されたと判断されると（Ｓ１８：Ｙｅｓ）、処理がステップＳ１９に移行する。一方、前記再印刷指令が入力されていないと判断されると（Ｓ１８：Ｎｏ）、処理が前記ステップＳ１１に戻る。
【００３９】
＜ステップＳ１９＞
ステップＳ１９において、制御部１６（印刷制御部１６４）は、補助記憶部１５に保存されている画像データＤ１（すなわち、前記ステップＳ１６で補助記憶部１５に保存された画像データＤ１）をＲＡＭ１６１に展開する。
【００４０】
＜ステップＳ２０＞
ステップＳ２０において、制御部１６は、前記ステップＳ１９でＲＡＭ１６１に展開された画像データＤ１をＲＡＭ１６１から読み出して、画像形成部１３に当該画像データＤ１に基づく画像形成処理を再実行させる。そして、処理が前記ステップＳ１１に戻る。
【００４１】
以上のように、本実施形態では、前記特定指令が受け付けられた場合において、入力される画像データＤ１が一旦補助記憶部１５に保存されてからＲＡＭ１６１に展開されるのではなく、入力される画像データＤ１が直接ＲＡＭ１６１に記憶されて、当該画像データＤ１に基づく画像形成処理が開始される。すなわち、本実施形態では、前記特定指令が受け付けられた場合において、補助記憶部１５に保存された画像データＤ１がＲＡＭ１６１に展開されるのを待つことなしに、画像形成処理が開始される。よって、本実施形態によれば、画像データＤ１の保存及び印刷を要求する指令（前記特定指令）が受け付けられた場合において、画像形成処理が開始されるまでの待ち時間を短縮することが可能である。
【００４２】
また、本実施形態では、印刷制御部１６４によるＲＡＭ１６１からの画像データＤ１の読み出しが開始されるのと同時又はその後に、補助記憶部１５への画像データＤ１の保存が開始される。すなわち、本実施形態では、画像データＤ１が補助記憶部１５に保存されるのを待つことなしに、画像形成処理が開始される。よって、本実施形態によれば、画像データＤ１の保存及び印刷を要求する指令（前記特定指令）が受け付けられた場合において、画像形成処理が開始されるまでの待ち時間を短縮することが可能である。
【００４３】
なお、印刷制御部１６４によるＲＡＭ１６１からの画像データＤ１の読み出しと、補助記憶部１５への画像データＤ１の保存とが同時に行われる場合には、印刷制御部１６４によるＲＡＭ１６１からの画像データＤ１の読み出しのみが行われる場合と較べて、印刷制御部１６４による画像データＤ１の読み出し速度が低下するおそれがある。しかしながら、前記ステップＳ１４のように、画像データＤ１における最初のページに対応するデータが印刷制御部１６４によりＲＡＭ１６１から読み出された後に、補助記憶部１５への画像データＤ１の保存が開始されることにより、画像データＤ１における最初のページに対応するデータの読み出し速度の低下が防止される。これにより、画像形成処理が開始されるまでの待ち時間を短縮することが可能である。
【００４４】
なお、補助記憶部１５への画像データＤ１の保存は、画像データＤ１における全ページに対応するデータが印刷制御部１６４によりＲＡＭ１６１から読み出された後に開始されてもよい。さらには、補助記憶部１５への画像データＤ１の保存は、画像データＤ１に基づく画像形成処理が完了した後に開始されてもよい。
【００４５】
また、本実施形態では、前記特定指令が受け付けられた場合において、補助記憶部１５の空き容量が画像データＤ１を保存するのに不十分である場合であっても、画像形成部１３による当該画像データＤ１に基づく画像形成処理が中断されることがない。よって、よって、本実施形態によれば、画像データＤ１の保存及び印刷を要求する指令が受け付けられた場合において、補助記憶部１５の空き容量が画像データＤ１を保存するのに不十分であったとしても、少なくとも印刷処理は実行することができる。画像データＤ１を保存するとともに複数部数分印刷することを要求する指令が受け付けられた場合についても同様に、補助記憶部１５の空き容量が画像データＤ１を保存するのに不十分であったとしても、少なくとも当該複数部数分の印刷処理を実行することが可能である。
【００４６】
なお、本実施形態では、ホストコンピューター２から受信した画像データＤ１を保存及び印刷（プリント）する場合について説明したが、本発明はこれに限らず、例えば、画像読取部１２により読み取られる原稿の画像データＤ１を保存及び印刷（コピー）する場合にも本発明は適用可能である。
【符号の説明】
【００４７】
１  画像形成装置
２  ホストコンピューター
１３  画像形成部
１５  補助記憶部
１６  制御部
１６１  ＲＡＭ
１６２  指令受付部
１６３  第１処理部
１６４  印刷制御部
１６５  第２処理部
Ｄ１  画像データ
【図１】
2018056887.tif 000003
【図２】
2018056887.tif 000004
【図３】
2018056887.tif 000005
【図４】
2018056887.tif 000006